(57)【要約】【課題】超小型で安価な防爆型カメラを提供する。【解決手段】円筒状のハウジング本体３の内面に、電源映像モジュール２の基板部１２の両側縁が嵌合し摺動可能な溝２２を長手方向に形成する。ハウジング本体３の前端面に、カメラモジュール１のレンズ部６の係合部１０ａが係合する被係合部１９を形成する。ハウジング本体３に挿通したケーブル１５，１６を電源映像モジュール２の端子に接続し、カメラモジュール１と電源映像モジュール２のコード８，１４をコネクタ１１，１７を介して接続する。電源映像ケーブル２の基板部１２の両側縁をハウジング本体３の溝２２に係合して、カメラモジュール１とともに長手方向に収容する。カメラモジュール１の係合部１０ａをハウジング本体３の被係合部１９に係合する。【選択図】図５
2010156739.tif 000002
【特許請求の範囲】
【請求項１】
外周に係合部を設けたレンズ部、該レンズ部の光軸に平行に設けられた基板部、該基板部から導出され先端にコネクタを有するコードからなるカメラモジュールと、
基板部、該基板部に設けられた端子、前記基板部から導出され先端にコネクタを有するコードからな電源映像モジュールと、
前記電源映像モジュールの基板部の両側縁が嵌合し摺動可能な溝を内面に長手方向に形成し、前端面にカメラモジュールのレンズ部の係合部が係合する被係合部を成し、前記電源映像モジュールと前記カメラモジュールを長手方向に収容する円筒状のハウジング本体と、
前記ハウジング本体の前端に取り付けられ、前記レンズ部の光軸上に窓ガラスを有するキャップと、
前記ハウジング本体の後端に取り付けられ、前記電源映像モジュールの端子に接続するケーブルを挿通し固定するクランプと、
を備えたことを特徴とする防爆型カメラ。
【請求項２】
前記カメラモジュールの係合部は環状の係合突部であることを特徴とする請求項１に記載の防爆型カメラ。
【請求項３】
前記ハウジング本体の被係合部は、段部からなることを特徴とする請求項１又は２に記載の防爆型カメラ。
【請求項４】
前記前記カメラモジュールの基板部の後端に取り付けられ、前記ハウジング本体の溝に嵌合し摺動可能な両側縁を有するガイド部材を設けたこと特徴とする請求項１から３のいずれかに記載の防爆カメラ。
【請求項５】
前記カメラモジュールの基板部の後端と前記電源映像モジュールの基板部の前端とを連結する連結部材を設けたことを特徴とする請求項１から４のいずれかに記載の防爆カメラ。
【発明の詳細な説明】
【技術分野】
【０００１】
本発明は超小型の防爆型カメラに関する。
【背景技術】
【０００２】
従来、特許文献１に記載のようなボードカメラを用いた防爆型カメラが本願出願人により提案され、実用化されている。この防爆型カメラは小型で安価であり、可燃性ガスや液体を取り扱う石油、科学、鉄鋼、電力、ガス等のプラントや施設で監視カメラとして使用されている。可燃性ガスのうち水素を扱うプラントや施設では、さらに小型軽量で、安価な防爆型カメラが望まれている。
【特許文献１】特開２００１−３２０６１５号公報
【発明の開示】
【発明が解決しようとする課題】
【０００３】
本発明は、超小型で安価な防爆型カメラを提供することを課題とする。
【課題を解決するための手段】
【０００４】
前記課題を解決するために、本発明の防爆型カメラは、
外周に係合部を設けたレンズ部、該レンズ部の光軸に平行に設けられた基板部、該基板部から導出され先端にコネクタを有するコードからなるカメラモジュールと、
基板部、該基板部に設けられた端子、前記基板部から導出され先端にコネクタを有するコードからな電源映像モジュールと、
前記電源映像モジュールの基板部の両側縁が嵌合し摺動可能な溝を内面に長手方向に形成し、前端面にカメラモジュールのレンズ部の係合部が係合する被係合部を成し、前記電源映像モジュールと前記カメラモジュールを長手方向に収容する円筒状のハウジング本体と、
前記ハウジング本体の前端に取り付けられ、前記レンズ部の光軸上に窓ガラスを有するキャップと、
前記ハウジング本体の後端に取り付けられ、前記電源映像モジュールの端子に接続するケーブルを挿通し固定するクランプと、
を備えている。
【０００５】
前記防爆型カメラでは、ケーブルをクランプに挿通し、ハウジング本体の後端に挿通して前端から引き出し、電源映像モジュールの端子に接続する。電源映像モジュールにカメラモジュールをコネクタを介して接続する。電源映像モジュールをハウジング本体の前端から挿入し、その両側縁を溝に嵌合して後端に向かって摺動して押し込む。続いて、カメラモジュールをハウジング本体の前端から挿入し、その係合部をハウジング本体の前端面の被係合部に支持して、キャップをハウジング本体の前端に取り付け、クランプをハウジング本体の後端に取り付ける。
【０００６】
前記カメラモジュールの係合部は環状の係合突部であることが好ましい。
【０００７】
前記ハウジング本体の被係合部は、段部からなることが好ましい。
【０００８】
前記前記カメラモジュールの基板部の後端に取り付けられ、前記ハウジング本体の溝に嵌合し摺動可能な両側縁を有するガイド部材を設けることもできる。
【０００９】
前記カメラモジュールの基板部の後端と前記電源映像モジュールの基板部の前端とを連結する連結部材を設けてもよい。
【発明の効果】
【００１０】
本発明によれば、電源映像モジュールとカメラモジュールは円筒状のハウジング本体に長手方向に収容され、電源映像モジュールは、両側縁がハウジング本体の溝に嵌合して支持され、カメラモジュールは、係合部がハウジング本体の被係合部に係合して、ハウジング本体とキャップの間に挟まれて支持される。このように、電源映像モジュールとカメラモジュールはハウジング本体に直接支持されているので、これらを支持する特別な支持部材が不要となり、配線が容易で、ハウジング本体が小型化し、構造が簡単となる。
【発明を実施するための最良の形態】
【００１１】
以下、本発明の実施の形態を添付図面に従って説明する。
【００１２】
図１は、本発明の一実施形態である防爆型カメラの組立て状態を示す。この防爆型カメラは、カメラモジュール１、電源映像モジュール２、ハウジング本体３、キャップ４及びクランプ５からなる。
【００１３】
カメラモジュール１は、図２に示すように、レンズ部６と、基板部７と、コード８と、ガイド部材９とからなっている。レンズ部６は被写体を図示しないＣＣＤ等の擦像素子上に結像するもので、外周には一定間隔を隔てた厚さの異なる２つの環状の係合突部１０ａ，１０ｂが設けられている。係合部１０ａ，１０ｂは、どちらか１つでもよいし、環状に限らず、周方向に等間隔で配置した複数の突部であってもよい。係合部１０ａ，１０ｂは、前後の位置を入れ替えることで、カメラの軸方向の位置を変更するスペーサとして使用することができる。基板部７は、擦像素子上に結像された像の画像処理等を行うもので、対向して配置された１対の矩形の基板からなっている。基板部７は、レンズ部６の光軸に平行になるように、レンズ部６の後端に一体に取り付けられている。コード８は、基板部７の後端から引き出され先端にコネクタ１１を有している。ガイド部材９は、ガイド部９ａと取付部９ｂからなるＬ字形で、ガイド部９ａが基板部７と平行になるように、取付部９ｂを基板部７の後端にビス止めして取り付けられている。ガイド部９ａの幅Ｗ１は基板部７の幅Ｗよりも広くなっている。
【００１４】
電源映像モジュール２は、図３に示すように、基板部１２と、３つの端子１３と、コード１４とからなっている。基板部１２は、電源処理、映像信号処を行うもので、矩形の基板からなっている。基板部１２の幅Ｗ２は前記カメラモジュール１のガイド部９ｂの幅Ｗ１と同一である。３つの端子１３はクリップ形で、基板部１２の上に設けられ、電源ゲーブル１５と映像ケーブル１６が接続されるようになっている。クリップ形の３つの端子１３に代えて、これらを１つにまとめた端子台としてもよい。コード１４は、基板部１２の前端から引き出され先端にコネクタ１７を有している。
【００１５】
ハウジング本体３は、図４に示すように、前端及び後端が開口する円筒形で、ステンレス鋼からなっている。ハウジング本体３の前端部には雌ねじ部１８が形成されている。雌ねじ部１８の後端には、環状に凹ませて段部とした被係合部１９が形成されている。雌ねじ部１８の後端にはＯリング２０が装着されるようになっている。ハウジング本体３の後端部には雌ねじが部２１が形成されている。ハウジング本体３の内面には、前記カメラモジュール２のガイド部９ａと前記電源映像モジュール２の基板部１２の両側縁が嵌合して摺動可能な２つの溝２２，２２が長手方向に形成されている。２つの溝２２，２２間幅Ｗ３は、カメラモジュール１のガイド部９ａの幅Ｗ１と電源映像モジュール２の基板部１２の幅Ｗ２よりもやや大きく形成されている。ハウジング本体の後端近傍の外面には、カメラ固定用の２つの平面座２３が形成されている
【００１６】
キャップ４は、前端及び後端が開口し、前記ハウジング本体３と同じ外形の円筒形で、ステンレス鋼からなっている。キャップ４の前端部には窓ガラス２４が前端側から挿入されて取り付けられている。この窓ガラス２４は、キャップ４の前端部のガラス収容凹部３０にパッキン３１を介して挿入されている。窓ガラス２４はキャップ４の前端部にパッキン３２を介してねじ込まれたリング状のガラス押さえ３３により押さえ付けられている。キャップ４の前端部の外周にはガラス収容凹部３０に連通する２つの貫通穴３４が形成されている。ガラス押さえ３３を装着した後、貫通穴３４よりガラス収容凹部３０のガラスの周囲に樹脂３５（図１参照）を注入することで、窓ガラス２４が固定されている。樹脂３５としては、エポキシ樹脂系接着剤でもよいが、柔軟性と耐衝撃性があることから２液混合タイプのシリコン樹脂等の弾性接着剤が好ましい。この窓ガラス２４の固定構造により、窓側ガラス２４を後端側から挿入する構造に比べて、組み立てが簡単であるとともに、同一外径としても窓ガラス２４の有効口径を大きくすることができ、カメラモジュール１のレンズ部６により広角のレンズを使用することができる。キャップ４の後端部には、前記ハウジング本体３の雌ねじ部１８と螺合する雄ねじ部２５が形成されている。
【００１７】
クランプ５は、前記ハウジング本体３と同じ又はこれより小さい外形のボルト頭２７と、ハウジング本体３の後端部の雌ねじ部２１と螺合する雄ねじ部２８とを有している。クランプ５は、内部に図示しないパッキンを有し、電源ケーブル１５と映像ケーブル１６を固定する一般的な耐圧パッキン式引き込み金具である。
【００１８】
次に、前記構成からなる防爆型カメラにケーブル１５，１６を取り付ける手順について説明する。
【００１９】
防爆型カメラを使用する現場において、まず防爆型カメラのキャップ４をハウジング本体３から取り外し、図５に示すように、カメラモジュール１と電源映像モジュール２を取り出す。続いて、クランプ５をハウジング本体３から取り外し、クランプ５に電源ケーブル１５、映像ケーブル１６を挿通し、それぞれのケーブル１５，１６の先端の芯線を剥がして、ハウジング本体３の後端に挿入し、図５に示すように、ハウジング本体３の前端から引き出す。次にケーブル１５，１６の先端を電源映像モジュール２の端子１３に取り付け、カメラモジュール１のコード８のコネクタ１１と電源映像モジュール２のコード１４のコネクタ１７とを結合する。
【００２０】
そして、電源映像モジュール２の基板部１２の両側縁をハウジング本体３の前端から内面の溝２２に差し込み、奥に向かって挿入する。同様にカメラモジュール１のガイド部材９のガイド部９ａの両側縁をハウジング本体３の前端から内面の溝２２に差し込み、奥に向かって挿入する。このときカメラモジュール１のガイド部材９のガイド部９ａの先端で電源映像モジュール２の基板部１２の後端を押し込むようにすることで電源映像モジュール２をハウジング本体３の奥の所定位置に位置させることができる。カメラモジュール１の基板部７がハウジング本体３の内部に進入し、レンズ部６の係合突部１０ａ，１０ｂがハウジング本体３の雌ねじ部１８の後端の被係合部１９に係合すると、この状態でキャップ４の雄ねじ部２５をハウジング本体３の雌ねじ部１８に螺合して取り付ける。
【００２１】
これにより、キャップ４の雄ねじ部２５の後端とハウジング本体３はＯリング２０によりシールされている。キャップ４の雄ねじ部２５の奥端とハウジング本体３も図示しないＯリング等によりシールされてもよい。また、カメラモジュール１は、ガイド部材９のガイド部９ａがハウジング本体３の溝２２に支持され、環状の係合突部１０ａ，１０ｂがハウジング本体３の被係合部１９に係合するととともに、キャップ４の後端面にＯリン２０グを介して押し付けられて固定される。また、電源映像モジュール２は、その基板部１２の後端がハウジング本体３の溝２２の奥端に当接し、かつ、基板部１２の両側縁が溝２２に支持されて固定される。ハウジング本体３内に押し込められたケーブル１５，１６はハウジング本体３内の空間内に収められる。
【００２２】
最後に、クランプ５をハウジング本体３の後端に取り付けると、組み立てが完了する。
【００２３】
なお、前記実施形態では、カメラモジュール１にガイド部材９を設けて、このガイド部材９をハウジング本体３の溝２２に支持するようにしたが、このガイド部材３を設けずに、カメラモジュール１の係合突部１０ａ，１０ｂをハウジング本体３とキャップ４の間に挟持するだけで、カメラモジュール１を支持するようにしてもよい。この場合、カメラモジュール１の基板部７の後端で電源映像モジュール２の基板部の後端を押し込むようにするとよい。
また、前記実施形態では、ハウジング本体３の雌ねじ部１８にキャップ４の雄ねじ部２５を螺合するようにしたが、逆に、ハウジング本体３に雄ねじ部を設け、キャップ４に雌ねじ部を設けて、これらを螺合するようにしてもよい。
【００２４】
図６は、本発明の他の実施形態を示す。図１に示す実施形態のガイド部材９を用いずに、カメラモジュール１の基板部７と電源映像モジュール２の基板部１２とを連結する連結部材２９を用いたものである。この実施形態では、カメラモジュール１と電源映像モジュール２とが連結部材２９を介して一体になっているので、電源映像モジュール２をハウジング本体３に挿入するときにカメラモジュール１を持って押し込むことができ、挿入が簡単かつ迅速に行える。
【００２５】
以上のように、カメラモジュール１と電源映像モジュール２とはハウジング本体３に長手方向に縦列状態に収容され、内面に形成した溝２２に直接支持されているので、これらを支持する特別な支持部材が不要となり、配線が容易で、ハウジング本体３が小型化し、構造が簡単となる。
【図面の簡単な説明】
【００２６】
【図１】本発明の防爆型カメラの断面図。
【図２】（ａ）はカメラモジュールの平面図、（ｂ）はその側面図。
【図３】（ａ）は電源映像モジュールの平面図、（ｂ）はその側面図。
【図４】（ａ）はハウジング本体、キャップ、クランプの分解断面図、（ｂ）ｂ−ｂ線断面図。
【図５】ケーブルをカメラモジュールと電源映像ケーブルに接続するときの状態を示す一部断面側面図。
【図６】図１の防爆型カメラの変形例を示すカメラモジュールと電源映像モジュールの側面図。
【符号の説明】
【００２７】
１  カメラモジュール
２  電源映像モジュール
３  ハウジング本体
４  キャップ
５  クランプ
６  レンズ部
７  基板部
８  コード
９  ガイド部材
１０ａ，１０ｂ  係合突部
１１  コネクタ
１２  基板部
１３  端子
１４  コード
１５  電源ケーブル
１６  映像ケーブル
１７  コネクタ
１９  被係合部
２２  溝
２３  窓ガラス
２９  連結部材
【図１】
2010156739.tif 000003
【図２】
2010156739.tif 000004
【図３】
2010156739.tif 000005
【図４】
2010156739.tif 000006
【図５】
2010156739.tif 000007
【図６】
2010156739.tif 000008